(57)【要約】【課題】  建築物の表面構造を用いた植物育成場は、単に自然状態を再現し昆虫や鳥類等の生息が可能な場を提供するだけに留まっており、中には有害な昆虫を呼んでしまうなど、結果的に周囲の環境にとって好ましくない状態を出現させる可能性もあった。【解決手段】    ブロック等によって仕切られる花壇枠１と、花壇枠１内または周辺にチョウ類の食草・食樹または密源となるミカン科植物２と、マメ科植物３と、セリ科植物４と、キク科植物５と、ツツジ科植物６を単独または複数を組み合わせて植栽することによってなる。【選択図】    図１
2006020618.tif 000002
【特許請求の範囲】
【請求項１】
ブロック等によって仕切られる花壇枠と、前記花壇枠内または周辺にミカン科の植物を植生させたことを特徴とする、チョウ等を誘引し養生する方法。
【請求項２】
請求項１記載の前記ミカン科の植物に、マメ科の植物を加えたことを特徴とするチョウ等を誘引し養生する方法。
【請求項３】
請求項１記載の前記ミカン科の植物に、前記マメ科とセリ科の植物を加えたことを特徴とする、チョウ等を誘引し養生する方法。
【請求項４】
請求項１記載の前記ミカン科の植物に、前記マメ科と前記セリ科とキク科の植物を加えたことを特徴とする、チョウ等を誘引し養生する方法。
【請求項５】
請求項１記載の前記ミカン科の植物に、前記マメ科と前記セリ科と前記キク科とツツジ科の植物を加えたことを特徴とする、チョウ等を誘引し養生する方法。
【請求項６】
請求項１記載の前記ミカン科の植物に、前記マメ科と前記セリ科と前記ツツジ科の植物を加えたことを特徴とする、チョウ等を誘引し養生する方法。
【請求項７】
請求項１記載の前記ミカン科の植物に、前記マメ科と前記キク科の植物を加えたことを特徴とする、チョウ等を誘引し養生する方法。
【請求項８】
請求項１記載の前記ミカン科の植物に、前記マメ科と前記キク科と前記ツツジ科の植物を加えたことを特徴とする、チョウ等を誘引し養生する方法。
【請求項９】
請求項１記載の前記ミカン科の植物に、前記マメ科と前記ツツジ科の植物を加えたことを特徴とする、チョウ等を誘引し養生する方法。
【請求項１０】
請求項１記載の前記ミカン科の植物に、前記セリ科の植物を加えたことを特徴とする、チョウ等を誘引し養生する方法。
【請求項１１】
請求項１記載の前記ミカン科の植物に、前記セリ科と前記キク科の植物を加えたことを特徴とする、チョウ等を誘引し養生する方法。
【請求項１２】
請求項１記載の前記ミカン科の植物に、前記セリ科と前記キク科と前記ツツジ科の植物を加えたことを特徴とする、チョウ等を誘引し養生する方法。
【請求項１３】
請求項１記載の前記ミカン科の植物に、前記セリ科と前記ツツジ科の植物を加えたことを特徴とする、チョウ等を誘引し養生する方法。
【請求項１４】
請求項１記載の前記ミカン科の植物に、前記キク科の植物を加えたことを特徴とする、チョウ等を誘引し養生する方法。
【請求項１５】
請求項１記載の前記ミカン科の植物に、前記キク科と前記ツツジ科の植物を加えたことを特徴とする、チョウ等を誘引し養生する方法。
【請求項１６】
請求項１記載の前記ミカン科の植物に、前記ツツジ科の植物を加えたことを特徴とする、チョウ等を誘引し養生する方法。
【請求項１７】
請求項１記載の前記ミカン科の植物に換え、前記マメ科の植物にしたことを特徴とする、チョウ等を誘引し養生する方法。
【請求項１８】
請求項１記載の前記ミカン科の植物に換え、前記マメ科と前記セリ科の植物にしたことを特徴とする、チョウ等を誘引し養生する方法。
【請求項１９】
請求項１記載の前記ミカン科の植物に換え、前記マメ科と前記セリ科と前記キク科の植物にしたことを特徴とする、チョウ等を誘引し養生する方法。
【請求項２０】
請求項１記載の前記ミカン科の植物に換え、前記マメ科と前記セリ科と前記キク科と前記ツツジ科の植物にしたことを特徴とする、チョウ等を誘引し養生する方法。
【請求項２１】
請求項１記載の前記ミカン科の植物に換え、前記マメ科と前記セリ科と前記ツツジ科の植物にしたことを特徴とする、チョウ等を誘引し養生する方法。
【請求項２２】
請求項１記載の前記ミカン科の植物に換え、前記マメ科と前記キク科の植物にしたことを特徴とする、チョウ等を誘引し養生する方法。
【請求項２３】
請求項１記載の前記ミカン科の植物に換え、前記マメ科と前記キク科と前記ツツジ科の植物にしたことを特徴とする、チョウ等を誘引し養生する方法。
【請求項２４】
請求項１記載の前記ミカン科の植物に換え、前記マメ科と前記ツツジ科の植物にしたことを特徴とする、チョウ等を誘引し養生する方法。
【請求項２５】
請求項１記載の前記ミカン科の植物に換え、前記セリ科の植物にしたことを特徴とする、チョウ等を誘引し養生する方法。
【請求項２６】
請求項１記載の前記ミカン科の植物に換え、前記セリ科と前記キク科の植物にしたことを特徴とする、チョウ等を誘引し養生する方法。
【請求項２７】
請求項１記載の前記ミカン科の植物に換え、前記セリ科と前記キク科と前記ツツジ科の植物にしたことを特徴とする、チョウ等を誘引し養生する方法。
【請求項２８】
請求項１記載の前記ミカン科の植物に換え、前記セリ科と前記ツツジ科の植物にしたことを特徴とする、チョウ等を誘引し養生する方法。
【請求項２９】
請求項１記載の前記ミカン科の植物に換え、前記キク科の植物にしたことを特徴とする、チョウ等を誘引し養生する方法。
【請求項３０】
請求項１記載の前記ミカン科の植物に換え、前記キク科と前記ツツジ科の植物にしたことを特徴とする、チョウ等を誘引し養生する方法。
【請求項３１】
請求項１記載の前記ミカン科の植物に換え、前記ツツジ科の植物にしたことを特徴とする、チョウ等を誘引し養生する方法。
【発明の詳細な説明】
【技術分野】
【０００１】  本発明はチョウ類を誘引し養生する方法に関する。
【背景技術】
【０００２】  従来では、住宅等の建築物の屋根や側壁に自然降水による植生を可能にし、自然との調和が図れ、住機能の向上を図るようにした特開平０５−２８４５８１号公報がある。【０００３】  これは、小梁上の野地板上にユニット表面構造体をそのフランジを介し釘孔により添設固定し、該表面構造体の株の下地材には降水が貯留されるようにし、上部の表面材にはおが屑，パーライト，バーミキュライト等の人口土壌を収納し、水は水吸上げ体により土壌に給水し、花や草木等の植生は窓から屋根上に繁殖成長し炭酸同化作用が促進され、昆虫や鳥類等の生息も可能になり、建物に対する保温機能，断熱機能を具備するようなものがあった。【０００４】
【特許文献１】    特開平０５−２８４５８１号公報
【発明の開示】
【発明が解決しようとする課題】
【０００５】  しかしながら、このような建築物の表面構造を用いた植物育成場は、単に自然状態を再現し昆虫や鳥類等の生息が可能な場を提供するだけに留まっており、中には有害な昆虫を呼んでしまうなど、結果的に周囲の環境にとって好ましくない状態を出現させる可能性もあった。
【課題を解決するための手段】
【０００６】  本発明は、花壇等にチョウ等を誘引し養生する方法であって、ブロック等によって仕切られる花壇枠内または周辺に前記ミカン科の植物を植生させる方法を提案するものである。【０００７】  また、前記ミカン科の植物に、前記マメ科の植物を加えた方法を提案するものである。【０００８】  また、前記ミカン科の植物に、前記マメ科と前記セリ科の植物を加えた方法を提案するものである。【０００９】  また、前記ミカン科の植物に、前記マメ科と前記セリ科と前記キク科の植物を加えた方法を提案するものである。【００１０】  また、前記ミカン科の植物に、前記マメ科と前記セリ科と前記キク科と前記ツツジ科の植物を加えた方法を提案するものである。【００１１】  また、前記ミカン科の植物に、前記マメ科と前記セリ科と前記ツツジ科の植物を加えた方法を提案するものである。【００１２】  また、前記ミカン科の植物に、前記マメ科と前記キク科の植物を加えた方法を提案するものである。【００１３】  また、前記ミカン科の植物に、前記マメ科と前記キク科と前記ツツジ科の植物を加えた方法を提案するものである。【００１４】  また、前記ミカン科の植物に、前記マメ科と前記ツツジ科の植物を加えた方法を提案するものである。【００１５】  また、前記ミカン科の植物に、前記セリ科の植物を加えた方法を提案するものである。【００１６】  また、前記ミカン科の植物に、前記セリ科と前記キク科の植物を加えた方法を提案するものである。【００１７】  また、前記ミカン科の植物に、前記セリ科と前記キク科と前記ツツジ科の植物を加えた豊富を提案するものである。【００１８】  また、前記ミカン科の植物に、前記セリ科と前記ツツジ科の植物を加えた方法を提案するものである。【００１９】  また、前記ミカン科の植物に、前記キク科の植物を加えた方法を提案するものである。【００２０】  また、前記ミカン科の植物に、前記キク科と前記ツツジ科の植物を加えた方法を提案するものである。【００２１】  また、前記ミカン科の植物に、前記ツツジ科の植物を加えた方法を提案するものである。【００２２】  また、前記ミカン科の植物に換え、前記マメ科の植物にした花壇を提供するものである。【００２３】  また、前記ミカン科の植物に換え、前記マメ科と前記セリ科の植物にした方法を提案するものである。【００２４】  また、前記ミカン科の植物に換え、前記マメ科と前記セリ科と前記キク科の植物にした方法を提案するものである。【００２５】  また、前記ミカン科の植物に換え、前記マメ科と前記セリ科と前記キク科と前記ツツジ科の植物にした方法を提案するものである。【００２６】  また、前記ミカン科の植物に換え、前記マメ科と前記セリ科と前記ツツジ科の植物にした方法を提案するものである。【００２７】  また、前記ミカン科の植物に換え、前記マメ科と前記キク科の植物にした方法を提案するものである。【００２８】  また、前記ミカン科の植物に換え、前記マメ科と前記キク科と前記ツツジ科の植物にした方法を提案するものである。【００２９】  また、前記ミカン科の植物に換え、前記マメ科と前記ツツジ科の植物にした方法を提案するものである。【００３０】  また、前記ミカン科の植物に換え、前記セリ科の植物にした���法を提案するものである。【００３１】  また、前記ミカン科の植物に換え、前記セリ科と前記キク科の植物にした方法を提案するものである。【００３２】  また、前記ミカン科の植物に換え、前記セリ科と前記キク科と前記ツツジ科の植物にした方法を提案するものである。【００３３】  また、前記ミカン科の植物に換え、前記セリ科と前記ツツジ科の植物にした方法を提案するものである。【００３４】  また、前記ミカン科の植物に換え、前記キク科の植物にした方法を提案するものである。【００３５】  また、前記ミカン科の植物に換え、前記キク科と前記ツツジ科の植物にした方法を提案するものである。【００３６】  また、前記ミカン科の植物に換え、前記ツツジ科の植物にした方法を提案するものである。
【発明の効果】
【００３７】  本発明は、チョウ類の食性に配慮した食物となる植物を適切に植栽することによりチョウ類を優先的かつ高確率で自然に呼び寄せることが出来る。【００３８】  本発明は、チョウ類とチョウ類の食物となる植物の組み合わせにより美的に優れた空間を出現せしめ観察者を精神的にリラックスさせうる。【００３９】  また、チョウ類の生育を幼生から成体までの全段階にわたって観察可能であり研究や学習の分野において有効に利用されうる。
【発明を実施するための最良の形態】
【００４０】  以下、本発明について、具体的な好適実施例を図１を参照して順に説明する。本発明に係わる花壇は基本的に、ブロック等によって仕切られる花壇枠１と、花壇枠内または周辺にチョウ類の食草・食樹または密源となるミカン科植物２と、マメ科植物３と、セリ科植物４と、キク科植物５と、ツツジ科植物６を単独または複数を組み合わせて植栽することによって構成される。なお参考として以下に過去に実験圃場において観察した結果を交えて詳述する。【００４１】  請求項１記載のミカン科植物２には、カラスザンショウ・サンショウ・ユズ・キハダ・カラタチ等が存在し、アゲハチョウ類の食樹として該アゲハチョウ類を誘引する効果を有する。なお本発明においては、ミカン科植物２を植栽する場合、前述したカラスザンショウ・サンショウ・ユズ・キハダ・カラタチ等の中から単独または複数を組み合わせて植栽をする。２００３年８月１日に、ミカン科植物としてカラスザンショウを実験圃場に植栽したところ、同年８月２日にカラスアゲハ２頭、アゲハチョウ３頭、同年８月３日にはアゲハチョウ２頭の飛来が確認できた。【００４２】  請求項２記載のマメ科の植物３には、ヤマハギ・マルバハギ・ネム・シロツメクサ・アカツメクサ・ミヤコグサ等が存在し、その花が多くのチョウ類の蜜源となる。また、キチョウ類・シジミチョウ類の食樹であり該キチョウ類・シジミチョウ類を誘引する効果を有する。なお本発明においては、マメ科植物３を植栽する場合、前述したヤマハギ・マルバハギ・ネム・シロツメクサ・アカツメクサ・ミヤコグサ等の中から単独または複数を組み合わせて植栽をする。２００３年８月１日に、ミカン科植物としてカラスザンショウを実験圃場に植栽したところ、同年８月２日にカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認できた。【００４３】  請求項３記載のセリ科の植物４には、ハナウド・シシウド等が存在し、その花は多くのチョウ類の蜜源となる。また、キアゲハの食草であり該キアゲハを誘引する効果を有する。なお本発明においては、セリ科植物４を植栽する場合、前述したハナウド・シシウド等の中から単独または複数を組み合わせて植栽をする。２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認できた。【００４４】  請求項４記載のキク科の植物５には、ノアザミ・ダキバヒメアザミ・ヒヨドリバナ・アキノキリンソウ・ノコンギク等が存在し、その花は多くのチョウ類の蜜源となる。なお本発明においては、キク科植物５を植栽する場合、前述したノアザミ・ダキバヒメアザミ・ヒヨドリバナ・アキノキリンソウ・ノコンギク等の中��ら単独または複数を組み合わせて植栽をする。２００３年８月１日に、ミカン科植物としてカラスザンショウを実験圃場に植栽したところ、、同年８月２日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００４５】  請求項５記載のツツジ科の植物６には、ヤマツツジ・レンゲツツジ・ユキグニミツバツツジ等が存在し、その花は多くのチョウ類の蜜源となる。また、ツツジ科の植物６は、樹上性のシジミチョウ類の食樹であり該シジミチョウ類を誘引する効果を有する。なお本発明においては、ツツジ科植物６を植栽する場合、前述したノアザミ・ダキバヒメアザミ・ヒヨドリバナ・アキノキリンソウ・ノコンギク等の中から単独または複数を組み合わせて植栽をする。２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００４６】  請求項６記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、マメ科植物としてヤマハギを、実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００４７】  請求項７記載の植栽物として２００３年８月１日に、ミカン科植物としてカラスザンショウを実験圃場に植栽したところ、同年８月��日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００４８】  請求項８記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、キク科植物としてアキノキリンソウを実験圃場に植栽したところ、同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００４９】  請求項９記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、マメ科植物としてヤマハギを実験圃場に植栽したところ、同年８月２日にキチョウ２頭、同年８月３日にキチョウ７頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００５０】  請求項１０記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、セリ科植物としてシシウドを実験圃場に植栽したところ、同年８月３日にはキアゲハ１頭、同年８月４日にはキアゲハ３頭の飛来が確認できた。【００５１】  請求項１１記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００５２】  請求項１２記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００５３】  請求項１３記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、セリ科植物としてシシウドを、実験圃場に植栽したところ、同年８月３日にはキアゲハ１頭、同年８月４日にはキアゲハ３頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００５４】  請求項１４記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００５５】  請求項１５記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００５６】  請求項１６記載の植栽物として２００３年８月１日に、ミカン科植物としてカラスザンショウを実験圃場に植栽したところ、同年８月２日にはカラスアゲハ２頭、アゲハチョウ３頭、同年８月３日にはアゲハチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来��確認できた。【００５７】  請求項１７記載の植栽物として２００３年８月１日に、マメ科植物としてヤマハギを実験圃場に植栽したところ、同年８月２日にキチョウ２頭、同年８月３日にキチョウ７頭の飛来が確認できた。【００５８】  請求項１８記載の植栽物として２００３年８月１日に、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認できた。【００５９】  請求項１９記載の植栽物として２００３年８月１日に、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００６０】  請求項２０記載の植栽物として２００３年８月１日に、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６１】  請求項２１記載の植栽物として２００３年８月１日に、マメ科植物としてヤマハギを実験圃場に植栽したところ、同年８月２日にキチョウ２頭、同年８月３日にキチョウ７頭の飛来が確認でき、セリ科植物としてシシウドを実験圃場に植栽したところ、同年８月３日にはキアゲハ１頭、同年８月４日にはキアゲハ３頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６２】  請求項２２記載の植栽物として２００３年８月１日に、マメ科植物としてヤマハギを実験圃場に植栽したところ、同年８月２日にキチョウ２頭、同年８月３日にキチョウ７頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００６３】  請求項２３記載の植栽物として２００３年８月１日に、マメ科植物としてヤマハギを実験圃場に植栽したところ、同年８月２日にキチョウ２頭、同年８月３日にキチョウ７頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６４】  請求項２４記載の植栽物として２００３年８月１日に、マメ科植物としてヤマハギを実験圃場に植栽したところ、同年８月２日にキチョウ２頭、同年８月３日にキチョウ７頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６５】  請求項２５記載の植栽物として２００３年８月１日に、セリ科植物としてシシウドを実験圃場に植栽したところ、同年８月３日にキアゲハ１頭、同年８月４日にキアゲハ３頭の飛来が確認できた。【００６６】  請求項２６記載の植栽物として２００３年８月１日に、セリ科植物としてシシウドを実験圃場に植栽したところ、同年８月３日にキアゲハ１頭、同年８月４日にキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００６７】  請求項２７記載の植栽物として２００３年８月１日に、セリ科植物としてシシウドを実験圃場に植栽したところ、同年８月３日にキアゲハ１頭、同年８月４日にキアゲハ３頭の飛来が確認でき、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６８】  請求項２８記載の植栽物として２００３年８月１日に、セリ科植物としてシシウドを実験圃場に植栽したところ、同年８月３日にキアゲハ１頭、同年８月４日にキアゲハ３頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００６９】  請求項２９記載の植栽物として２００３年８月１日に、キク科植物としてアキノキリンソウを実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認できた。【００７０】  請求項３０記載の植栽物として２００３年８月１日に、キク科植物と���てアキノキリンソウを、実験圃場に植栽したところ同年９月９日に開花し、同年９月１０日にモンシロチョウ３頭、同年９月１１日にアカタテハ１頭、同年９月１２日にモンシロチョウ２頭、モンキチョウ２頭の飛来が確認でき、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００７１】  請求項３１記載の植栽物として２００３年８月１日に、ツツジ科植物としてヤマツツジを実験圃場に植栽したところ２００４年５月４日に開花し、同年５月５日にクロアゲハ２頭、同年５月６日にミヤマカラスアゲハ２頭の飛来が確認できた。【００７２】  上述にて提示した実験圃場での結果群は本発明の好適な形態の一例であるが、本発明を適用する周囲の環境等に合わせて、本発明の要旨を逸脱しない範囲において種々変形実施可能である。【００７３】  実施例図１において花壇枠１は長方形となっているが、形状や面積に制約は無い。【００７４】  また、ミカン科植物２、マメ科植物３、セリ科植物４、キク科植物５、ツツジ科植物６の使用する植栽物、組み合わせ、配置、位置関係等に制約は無い。【００７５】  ただし、各植栽物のうち低木のものは主として枠内において誘引したチョウ類を観察する場として、高木のものは枠外においてチョウ類の自然繁殖の場としての役割を持たせることは望ましい。【００７６】  また、必須ではないが、本発明を実施する環境がコムラサキの生息範囲である場合はヤナギ科の植物を、ミドリシジミの生息範囲である場合はカバノキ科の植物を、ジャコウアゲハ・ギフチョウの生息範囲である場合はウマノスズクサ科の植物を前述の植栽物に加えて導入し、該チョウ類の誘引・養生をはかることも可能である。
【図面の簡単な説明】
【００７７】
【符号の説明】
【００７８】  １  花壇枠
２  ミカン科植物
３  マメ科植物
４  セリ科植物
５  キク科植物
６  ツツジ科植物
【図１】
2006020618.tif 000003
【手続補正書】
【提出日】平成16年9月10日(2004.9.10)
【手続補正１】
【補正対象書類名】明細書
【補正対象項目名】００７７
【補正方法】変更
【補正の内容】
【００７７】
【図１】  本発明の一実施例を示す俯瞰図